(57)【要約】【課題】  簡易な構成であるとともに、内袋の交換を容易且つ迅速に行なうことができ、持運びも容易に行なうことができるカバー付きごみ箱と提供する。【解決手段】  ごみ投入口４を有するごみ箱本体２と、ごみ箱本体２に装着されるカバー３とを有するカバー付きごみ箱１であって、カバー３をごみ箱本体２に嵌めて、カバー３をごみ箱本体２に対して、更に押し込む、又は回転させることで、これらを一体的に固定する固定手段を備え、固定手段は、ごみ箱本体２のごみ投入口４に掛止させてごみ箱本体２の内側に取り付けたごみ袋Ｂを、カバー３とごみ箱本体２との間に挟んで保持するものとした。【選択図】図３
2019104617.tif 000002
【特許請求の範囲】
【請求項１】
ごみ投入口を有するごみ箱本体と、該ごみ箱本体に装着されるカバーとを設けたカバー付きごみ箱であって、
前記カバーを前記ごみ箱本体に嵌めて、前記カバーを前記ごみ箱本体に対して、更に押し込む、又は回転させることで、これらを一体的に固定する固定手段を備え、
該固定手段は、前記ごみ投入口に掛止させて該ごみ箱本体の内側に取り付けたごみ袋を、前記カバーと前記ごみ箱本体との間に挟んで保持可能なものであることを特徴とするカバー付きごみ箱。
【請求項２】
前記固定手段は、前記カバーに係合部を設けるとともに、該係合部に係合して前記ごみ箱本体と前記カバーとを一体的に固定する被係合部を前記ごみ箱本体に設けてなる請求項１記載のカバー付きごみ箱。
【請求項３】
前記カバーを前記ごみ箱本体に一体的に固定した状態において前記ごみ箱本体の露出する部分に、該ごみ箱本体のみを移動又は回転させるための操作部を設けてなる請求項１又は２記載のカバー付きごみ箱。
【請求項４】
前記ごみ箱本体の前記ごみ投入口の周縁に外側に張り出した鍔部を設け、該鍔部が前記被係合部の全部又は一部を構成してなる請求項２又は３記載のカバー付きごみ箱。
【請求項５】
前記ごみ箱本体に一体的に固定された前記カバーの、前記ごみ箱本体に対する固定操作と同じ周方向への更なる移動又は回転を規制する移動規制手段又は回転規制手段を設けてなる請求項１乃至３の何れか１項記載のカバー付きごみ箱。
【発明の詳細な説明】
【技術分野】
【０００１】
本発明は、ごみ箱本体にカバーを設けることで、ごみ箱本体に取り付けたごみ袋などの袋体を外観上目立たないものとするカバー付きごみ箱に関し、より詳しくは、袋体を装着したごみ箱本体にカバーを一体的に固定することで、持運びを容易なものとするカバー付きごみ箱に関する。
【背景技術】
【０００２】
従来、屑入れに関し、外観が美麗で体裁良好であると共にごみ交換作業の容易なものとして、上面を開口した屑入れの本体およびその屑入れ本体内に出入自在に収納されかつ上端を本体外側へ折り返した内袋、さらには上面に開孔と本体上端への当接用縁面とを有し少なくとも上記内袋の折り返し部分を覆蔽できる深さにて屑入れ本体上部と嵌合できるようにした蓋体とを組合わせてなる屑入れがある（特許文献１参照）。この屑入れは、内袋の折り返し部分を覆蔽できる深さにて屑入れ本体上部と嵌合できるようにした蓋体を備えていることで、内袋の本体外側へ折り返した上端が、蓋体により覆蔽され、内袋が一切露出せず外観上も美麗で体裁の良い屑入れとなるものであるが、持ち運ぶために蓋体を把持して持ち上げようとすると、蓋体が屑入れ本体と分離してしまうため、屑入れ本体の底面を下側から持ち上げる必要があり、持ち運びが煩雑なものとなっていた。
【０００３】
この課題を解決するものとして、ゴミ箱本体と、このゴミ箱本体を被覆し得る大きさ形状を持った底部が開放状のカバーと、この底部に係着し得る形状の底蓋とからなるカバー付きゴミ箱が提案されている（特許文献２参照）。しかし、このカバー付きゴミ箱は、カバーの底部に底蓋を係着することで、これらを一体化し、簡単に移動させることができるものであるため、内袋を交換するには、まず、この底蓋を取り外し、カバーとゴミ箱本体とを分離する必要があるため、この交換に要する一連の作業が煩雑であるとともに、部品点数も多くなるといった問題があった。
【先行技術文献】
【特許文献】
【０００４】
【特許文献１】実開昭５９−１０５２０３号公報
【特許文献２】実開平６−２０３０５号公報
【発明の概要】
【発明が解決しようとする課題】
【０００５】
本発明が前述の状況に鑑み解決しようとするところは、簡易な構成であるとともに、内袋の交換を容易且つ迅速に行なうことができ、持運びも容易に行なうことができるカバー付きごみ箱と提供する点にある。
【課題を解決するための手段】
【０００６】
本発明に係るカバー付きごみ箱は、前記課題解決のために、ごみ投入口を有するごみ箱本体と、該ごみ箱本体に装着されるカバーとを設けたカバー付きごみ箱であって、前記カバーを前記ごみ箱本体に嵌めて、前記カバーを前記ごみ箱本体に対して、更に押し込む、又は回転させることで、これらを一体的に固定する固定手段を備え、該固定手段は、前記ごみ投入口に掛止させて該ごみ箱本体の内側に取り付けたごみ袋を、前記カバーと前記ごみ箱本体との間に挟んで保持可能なものである。
【０００７】
また、前記固定手段は、前記カバーに係合部を設けるとともに、該係合部に係合して前記ごみ箱本体と前記カバーとを一体的に固定する被係合部を前記ごみ箱本体に設けてなるものであってもよい。
【０００８】
さらに、前記カバーを前記ごみ箱本体に一体的に固定した状態において前記ごみ箱本体の露出する部分に、該ごみ箱本体のみを移動又は回転させるための操作部を設けてなるものとすることができる。
【０００９】
さらにまた、前記ごみ箱本体の前記ごみ投入口の周縁に外側に張り出した鍔部を設け、該鍔部が前記被係合部の全部又は一部を構成してなるものであってもよい。
【００１０】
また、前記ごみ箱本体に一体的に固定された前記カバーの、前記ごみ箱本体に対する固定操作と同じ周方向への更なる移動又は回転を規制する移動規制手段又は回転規制手段を設けてなるものとすることもできる。
【発明の効果】
【００１１】
本発明に係るカバー付きごみ箱によれば、袋体を取り付けた前記ごみ箱本体と前記カバーとを一体的に固定することで、使用中のカバー付きごみ箱を容易に持ち運びすることができる。
【００１２】
また、前記固定手段は、前記カバーに係合部を設けるとともに、該係合部に係合して前記ごみ箱本体と前記カバーとを一体的に固定する被係合部を前記ごみ箱本体に設けてなるものであると、簡易な構成でごみ箱本体とカバーとを一体化することができる。
【００１３】
さらに、前記カバーを前記ごみ箱本体に一体的に固定した状態において前記ごみ箱本体の露出する部分に、該ごみ箱本体のみを移動又は回転させるための操作部を設けてなるものであると、ごみ箱本体の露出部分の操作部とカバーとを掴んで、ごみ箱本体とカバーとの着脱操作をより容易に行なうことができる。
【００１４】
また、前記ごみ箱本体の前記ごみ投入口の周縁に外側に張り出した鍔部を設け、該鍔部が前記被係合部の全部又は一部を構成してなるものであると、簡易な構成でありながら、特にごみ箱本体のごみ投入口の強度を高くすることができる。
【００１５】
さらに、前記ごみ箱本体に一体的に固定された前記カバーの、前記ごみ箱本体に対する固定操作と同じ周方向への更なる移動又は回転を規制する移動規制手段又は回転規制手段を設けてなるものであると、ごみ箱本体とカバーとの固定状態をより安定して維持することができる。
【図面の簡単な説明】
【００１６】
【図１】本発明の実施形態に係るカバー付きごみ箱の使用状態を示す斜視図である。
【図２】同じく実施形態に係るカバー付きごみ箱の使用状態を示す縦断面図である。
【図３】同じく実施形態に係るカバー付きごみ箱の構成を示す分解斜視図である。
【図４】同じく実施形態に係るカバー付きごみ箱の構成を示す水平断面図（底面視）である。
【図５】本発明の別の実施形態に係るカバー付きごみ箱の使用状態を示す斜視図である。
【図６】同じく別の実施形態に係るカバー付きごみ箱の使用状態を示す縦断面図である。
【図７】同じく別の実施形態に係るカバー付きごみ箱の構成を示す分解斜視図である。
【図８】同じく別の実施形態に係るカバー付きごみ箱の構成を示す水平断面図（底面視）である。
【発明を実施するための形態】
【００１７】
以下、本発明の実施形態を添付図面に基づき詳細に説明するが、本発明は、添付図面に示された形態に限定されず特許請求の範囲に記載の要件を満たす実施形態の全てを含むものである。また、本明細書において、一体的に固定するとは、複数のものを一つのものであるかのように固定することをいい、着脱可能な固定も含む。また、カバーは、ごみ箱本体の少なくとも一部を覆うものとする。
【００１８】
本発明に係るカバー付きごみ箱１の実施形態を図１乃至図４に沿って説明する。
【００１９】
図１乃至図３示すように、ごみ投入口４を有するごみ箱本体２と、該ごみ箱本体２に装着されるカバー３とを有するカバー付きごみ箱１であって、前記カバー３を前記ごみ箱本体２に嵌めて、前記カバー３を前記ごみ箱本体２に対して、回転させることで、これらを一体的に固定する固定手段を備え、該固定手段は、前記ごみ箱本体２の前記ごみ投入口４に掛止させて該ごみ箱本体２の内側に取り付けたごみ袋Ｂを、前記カバー３と前記ごみ箱本体２との間に挟んで保持するものである。
【００２０】
ごみ箱本体２は、上方にごみ投入口４を有する箱体である。その全体形状は、側面が若干下窄まりに形成された円筒状、底面が側面底辺よりも一段高く形成されたフラット面であるとともに、その底面には操作部８が設けられている。また、側面の上端には、カバー３に係合する被係合部６が複数設けられている。
【００２１】
カバー３は、上方に開口５を設け、下方を開放した覆体である。その全体形状は、側面が、若干上窄まりに形成された円筒状であって、上面には、側面から内側に一定幅を有して突出する帯状上覆部９が形成されている。また、側面の内側の上端部には、被係合部６，６，…に係合する係合部７，７，…が設けられている。これらの係合部７，７，…は、カバーがごみ箱本体２に取り付けられた状態で、ごみ箱本体２の被係合部６，６，…に夫々係合し、カバー３とごみ箱本体２を一体的に結合することができるものである。また、このカバー３の開口５は、ごみ箱本体２のごみ投入口４に対応する位置に設けられている。これにより、カバー３を装着した状態でごみ投入口４の少なくとも一部が露出するため、ごみ箱として機能するものなっている。
【００２２】
ここで、これらの開口５とごみ投入口４は、常に開いているものとして構成されているが、手動又は電動の蓋などによって、この開口５又はごみ投入口４の全部又は一部が閉鎖されるものとして構成されたものであってもよい。
【００２３】
被係合部６は、図３に示すように、ごみ箱本体２の側面の外側の上端に設けられている。この上端には、この被係合部６と同様に、側面から外方に向かって一定幅で突出する鍔部１０も設けられている。このため、被係合部６は、この鍔部１０の一部を利用して設けられている。具体的な構成として、被係合部６は、その形状が略倒L字状として、鍔部１０のさらに外側に突出するように形成されている。このように、被係合部６は、ごみ箱本体２に他の目的や用途で設けられた部分を利用して設けたものであってもよい。ごみ箱本体２には、四個の被係合部６，６，…が夫々対向する二対となるように配置されている。
【００２４】
係合部７は、図２及び図４に示すように、カバー３の側面の内側の上端近傍に設けられている。この係合部７は、カバー３の側面から内方に一定幅で突出する平板状に形成されている。また、係合部７は、被係合部６と同様に、カバー３に他の目的や用途で設けられた部分を利用して設けたものであってもよい。カバー３には、四個の係合部７，７，…が夫々対向する二対、被係合部６，６，に対応するように配置されている。
【００２５】
これらのごみ箱本体２側の被係合部６と、カバー３側の係合部７とが、ごみ箱本体２にカバー３を一体的に固定する固定手段を構成するものとなっている。つまり、図４に示すように、水平面における、ごみ箱本体２の被係合部６を有しない部分の幅寸法Ｗ１と、ごみ箱本体２の被係合部６を有する部分の幅寸法Ｗ２と、カバー３の係合部７を有しない部分の内側寸法Ｗ３と、カバー３の係合部７を有する部分の内側寸法Ｗ４とは、Ｗ１＜Ｗ４＜Ｗ２＜Ｗ３の関係を満たす。これにより、カバー３をごみ箱本体２に対し、被係合部６と係合部７とが重ならないように、回転させて嵌めることで、これらが引っ掛からず、カバー３の係合部７が、ごみ箱本体２の被係合部６の上端を超えて下方に位置することとなる。また、この状態から、カバー３をごみ箱本体２に対し回転させて、被係合部６と係合部７とが平面視においてその少なくとも一部が重なるようにすることで、カバー３のみを持ち上げても、係合部７が被係合部６に引っ掛かるため、ごみ箱本体２もカバー３とともに持ち上がる。
【００２６】
ここで、ごみ箱本体２の被係合部６は、水平板状に外方に突出した抜け止め部６ａと、この抜け止め部６ａの一端に設けられた、ごみ箱本体２に対するカバー３の回転を規制する回転規制部６ｂとを有する。このため、カバー３をごみ箱本体２に嵌めて、係合部７の抜け止め部６ａが被係合部６よりも下方に位置された状態で、カバー３をごみ箱本体２に対し回転させると、係合部７が回転規制部６ａに係合し、その後の同じ周方向の更なる回転が規制される。また、この状態では、係合部７の抜け止め部６ａが被係合部６に平面視において少なくとも一部が重なっているため、ごみ箱本体２とカバー３とが一体であるかのように扱えるものとなる。
【００２７】
抜け止め部６ａは、カバー３がごみ箱本体２に装着され、カバー付きごみ箱１が床面に載置されている状態で、被係合部６に引っ掛かるように構成されているため、持ち運びする際により一体的なものとして扱うことができるが、このような構成に限らず、例えば、カバー付きごみ箱１が床面に載置されている状態で、抜け止め部６ａは、被係合部６に係合せず、これらの間にクリアランスを有するものとしてもよく、このような構成によれば、ごみ箱本体２に取り付けたごみ袋への負荷が少なく、使用によってごみ袋の抜け止め部６ａ及び被係合部６への係合による破れなどを生じ難いものとすることもできる。
【００２８】
回転規制部６ｂは、抜け止め部６ａの一端に、抜け止め部６ａと同様に側面から外方に向かって突出する垂直板状に形成されたものである。また、この回転規制部６ｂには、カバー３のごみ箱本体２への装着で、カバー３の係合部７が当接するため、特に強度を要求されることとなるが、この回転規制部６ｂが抜け止め部６ａと略倒Ｌ字状に一体的に形成されることで、より簡易な構成で高い強度を有するものとなっている。
【００２９】
ごみ箱本体２の露出する部分には、ごみ箱本体２のみを操作するための操作部８が設けられている。具体的には、カバー３に覆われない、ごみ箱本体２の底面に設けられているため、カバー３の着脱において、カバー付きごみ箱１を持ち上げて、この操作部８と、カバー３とを夫々把持することで、カバー３をごみ箱本体２に対し回転させることが容易なものとなっている。また、この操作部８は、ごみ箱本体２の底面に、略中央を通る直線状の二本のリブで構成されている。このため、カバー付きごみ箱１の使用においてごみを支持するごみ箱本体２の底部を補強することもでき、カバー付きごみ箱１の耐久性を向上するものとなっている。なお、露出とは、底面を含めて外観上あらわれていることをいい、このごみ箱本体の露出する部分とは、同じく底面を含めてカバーに覆われていないことで外観上あらわれている部分というものとする。
【００３０】
また、カバー３の上端部の内側には、内方にせり出す帯状上覆部９が設けられている。この帯状上覆部９は、ごみ箱本体２の上端の内面よりも内方にせり出すものであるため、ごみ箱本体２に取り付けられたごみ袋Ｂの折返し部分及びこの部分の近傍が外観に表れず、意匠性を向上するものとなっている。
【００３１】
以下、このカバー付きごみ箱１へのごみ袋の取付け方法を説明する。
【００３２】
まず、カバー３をごみ箱本体２から取り外す。このとき、カバー３をごみ箱本体２に対して、取り付けるときとは反対の周方向に回転させることで、係合部７が被係合部６に係合しない状態となり、この状態でカバー３を上方に持ち上げて、カバー３をごみ箱本体２から取り外す。なお、この作業において、ごみ箱本体２を操作するには、ごみ箱本体２の底面の操作部８を把持して行なうことで、容易に操作することができる。
【００３３】
次に、ごみ箱本体２にごみ袋Ｂを取り付ける。このとき、ごみ袋Ｂの底側をごみ箱本体２の内側下面に近づけるように、又は接面するようにごみ箱本体２内に挿入して、ごみ袋Ｂの上端側をごみ箱本体２の鍔部１０を含む上端に引っ掛けて、少なくとも被係合部６の抜け止め部６ａを覆うように取り付ける。
【００３４】
最後に、カバー３をごみ箱本体２に装着する。このとき、カバー３をごみ箱本体２に嵌めて、固定位置まで挿入し、この状態でカバー３をごみ箱本体２に対し、取外しのときとは反対の周方向に回転させる。この回転方向は、ごみ箱本体２の被係合部６に対する回転規制部６ｂの設けられた方向となる。つまり、図３の平面視において、カバー３をごみ箱本体２に対し時計周りの方向に回転させることとなる。
【００３５】
上記作業により、ごみ箱本体２にごみ袋Ｂを取り付けた状態でカバー３を装着し、これらを一体的なものとすることができる。なお、ごみ袋Ｂを取り外す作業は、上記作業と同様であるが、カバー３をごみ箱本体２から分離させた後に、ごみ袋Ｂをごみ箱本体２から取り外して行なう。
【００３６】
図５乃至図８には、本発明に係る別の実施形態として、その外形を略四角柱とし、カバー３Ａをごみ箱本体２Ａに嵌めた状態から、さらに押し込むことで、これらを一体化するものとしたカバー付きごみ箱１Ａの具体的な構成例を示す。
【００３７】
図５乃至図７に示すように、カバー付きごみ箱１Ａは、ごみ投入口４Ａを有するごみ箱本体２Ａと、該ごみ箱本体２Ａに装着されるカバー３Ａとを有し、前記カバー３Ａを前記ごみ箱本体２Ａに嵌め、前記カバー３Ａを前記ごみ箱本体２Ａに対して、更に押し込むことで、これら２Ａ，３Ａを一体的に固定することができる固定手段を備え、該固定手段は、前記ごみ箱本体２Ａの前記ごみ投入口４Ａに掛止させて取り付けたごみ袋Ｂを、前記カバー３Ａと前記ごみ箱本体２Ａとの間に挟んで一体的に固定されるものである。
【００３８】
ごみ箱本体２Ａは、上方にごみ投入口４を有する箱体であって、その全体形状は、側面が若干下窄まりに形成された略四角柱状であり、底面がフラット面で形成されている。また、側面の上端には、カバー３Ａに係合する被係合部６Ａが複数設けられている。
【００３９】
カバー３Ａは、上方に開口５Ａを設け、下方を開放した覆体である。その全体形状は、側面が、若干上窄まりに形成された略四角柱状であって、上面には、側面から内側に一定幅を有して突出する帯状上覆部９Ａが形成されている。また、側面の内側の上端部には、被係合部６Ａ，６Ａ，…に係合する係合部７Ａ，７Ａ，…が設けられている。
【００４０】
被係合部６Ａは、図７に示すように、ごみ箱本体２Ａの側面の外側の上端に設けられている。具体的な構成として、被係合部６Ａは、一定幅で全周にわたって突出する平板状に形成された鍔部１０Ａの一部を利用したものとなっている。
【００４１】
係合部７Ａは、カバー３Ａの側面の内側の上端近傍に設けられている。この係合部７Ａは、カバー３Ａの側面から内方に略長方形状に突出するものとして構成されている。なお、被係合部６Ａ及び係合部７Ａは、他の目的や用途で設けられた部分を利用して設けたものであってもよい。
【００４２】
これらのごみ箱本体２Ａ側の被係合部６Ａと、カバー３Ａ側の係合部７Ａとが、ごみ箱本体２Ａにカバー３Ａを一体的に固定する固定手段を構成するものとなっている。つまり、図８に示すように、水平面における、ごみ箱本体２Ａの被係合部６Ａを除く幅寸法Ｘ１と、ごみ箱本体２Ａの被係合部６Ａを含む幅寸法Ｘ２と、カバー３Ａの係合部７Ａを有しない部分の内側寸法Ｘ３と、カバー３Ａの係合部７Ａを有する部分の内側寸法Ｘ４とは、Ｘ１＜Ｘ４＜Ｘ２＜Ｘ３の関係を満たす。これにより、カバー３Ａをごみ箱本体２Ａに嵌めることで、被係合部６Ａと係合部７Ａとが重なるが、この状態でカバー３Ａをごみ箱本体２Ａに対して更に押し込むことで、係合部７Ａが被係合部６Ａを乗り超えて、被係合部６Ａよりも下方に位置することとなる。この操作により、カバー３Ａのみを持ち上げても、係合部７Ａが被係合部６Ａに引っ掛かるため、ごみ箱本体２Ａもカバー３Ａとともに持ち上がる。
【００４３】
上記カバー付きごみ箱１Ａの他の構成については、上記カバー付きごみ箱１の構成と同様である。
【００４４】
なお、上記カバー付きごみ箱では、ごみ箱本体と略同一の高さ寸法を有するカバーを設けて、ごみ箱本体の側面の略全部を外観に表れないものとしているが、このような構成に限らず、ごみ箱本体とカバーとの高さ寸法が異なるものであってもよく、例えば、ごみ箱本体に対してカバーを高さ寸法の短いものとすることで、全体を軽量化するとともに、この短いカバーを把持することで持ち運びし易いものとすることもできる。
【００４５】
また、カバーの外表面は、シンプルな構成とすることで意匠性を高いものとしているが、このカバーに、カバー付きごみ箱を持ち運びするための持ち手を設けてなるものとしてもよく、例えば、カバーの一部に孔をあけて、この孔を持ち手として用いるものとしても良い。このような構成によれば、持ち手を簡易に設けることができるとともに、外観上においてもこの孔の部分だけごみ箱本体の側面が表われることとなり、これらの色彩や柄を異なるものとすることでより意匠性を高くすることもできる。
【００４６】
さらに、固定手段は、使用に際し常に機能させる必要があるものではなく、固定手段を機能させない状態での使用も可能であり、例えば、持運びを要しない場面では一体的に固定せず、単にごみ箱本体にカバーを嵌めただけの状態で用いることもできる。  
【符号の説明】
【００４７】
１，１Ａ      カバー付きごみ箱
２，２Ａ      ごみ箱本体
３，  ３Ａ    カバー
４，４Ａ      ごみ投入口
５，５Ａ      開口
６，６Ａ      被係合部
６ａ   抜け止め部
６ｂ   回転規制部
７，７Ａ      係合部
８     操作部
９，９Ａ      帯状上覆部
１０，１０Ａ  鍔部
Ｂ     袋
【図１】
2019104617.tif 000003
【図２】
2019104617.tif 000004
【図３】
2019104617.tif 000005
【図４】
2019104617.tif 000006
【図５】
2019104617.tif 000007
【図６】
2019104617.tif 000008
【図７】
2019104617.tif 000009
【図８】
2019104617.tif 000010